(57)【要約】【課題】【解決手段】本発明はガスボトル、特に医療用ガスボトルに関するものである。このガスボトルは一般的に気体出口を制御する部材（３）を具備する円筒型ボトル体（１）であって、気体出口を制御する部材（３）周囲に配置された保護カバー（２）を選択的に具備する。本発明は、ボトル体（１）が少なくとも第１保護ケーシング（１１）で少なくとも一部を覆われ、部材（３）及び／又は保護カバー（２）が少なくとも第２保護ケーシング（２１）で少なくとも部分的に覆われていることを特徴とする。さらに本発明は保護パッケージングに関するものであり、ガスボトルは第１保護ケーシング（１１）の一部および第２保護ケーシング（２１）の一部から形成される。両者は相互に組合された、及び／又は単体である。第１ケーシング部（１１）はディスク形状底（１２）を具備し、これがガスボトルの底を保護する。【選択図】図２
2004501324.tif 000002
【特許請求の範囲】
【請求項１】
全体として円柱形状をしたボトル体（１）で構成されるガスボトルであって、気体出口を制御する手段（３）、および気体出口を制御する手段（３）の周囲に配置された保護カウリング（２）を具備する、以下の特徴を有するガスボトル。
ボトル体（１）が少なくとも部分的に少なくとも第１保護ケーシング（１１）によってカバーされ、そして
保護カウリング（２）が少なくとも部分的に少なくとも第２保護ケーシング（２１）によってカバーされる。
【請求項２】
全体として円柱形状をしたボトル体（１）で構成されるガスボトルであって、気体出口を制御する手段（３）を具備する、以下の特徴を有するガスボトル。
ボトル体（１）が少なくとも部分的に少なくとも第１保護ケーシング（１１）によってカバーされ、そして
気体出口を制御する手段（３）が少なくとも部分的に少なくとも第２保護ケーシング（２１）によってカバーされる。
【請求項３】
請求項１または２に記載のガスボトルであって、ボトル体（１）が外側表面領域の少なくとも７０％を少なくとも第１保護ケーシング（１１）によって覆われることを特徴とし、及び／又は、保護カウリング（２）及び／又は気体出口を制御する手段（３）がそれらの外側表面域の少なくとも７０％を少なくとも第２保護ケーシング（２１）によって覆われ、さらに好ましくは、それらの外側表面域の８０％から９８％までの範囲を覆われることを特徴とするガスボトル。
【請求項４】
請求項１ないし３のいずれか記載のガスボトルであって、前記第１保護ケーシング（１１）及び第２保護ケーシング（２１）が単一保護ケーシング、及び／又は、ワンピースのカバーリング構造を形成することを特徴とするガスボトル。
【請求項５】
請求項１ないし３のいずれか記載のガスボトルであって、前記第１保護ケーシング（１１）および第２保護ケーシング（２１）が分離、及び／又は、互いに接着していないことを特徴とするガスボトル。
【請求項６】
請求項２ないし５のいずれか記載のガスボトルであって、気体出口を制御する手段（３）をカバーする第２保護ケーシング（２１）が少なくとも一つのカットアウトまたはプレカット（２３、２４）を具備し、操作者が前記カットアウトまたはプレカット（２３、２４）を通して気体出口を制御する前記手段（３）に前記第２保護ケーシング（２１）の下でアクセスできることを特徴とするガスボトル。
【請求項７】
請求項１または請求項３ないし５のいずれか記載のガスボトルであって、保護カウリング（２）をカバーしている第２保護ケーシング（２１）が少なくとも一つのカットアウトまたはプレカット（２３，２４）を具備し、これらが保護カウリング（２）中の少なくとも一つの開口部と一致、及び／又は反対側に位置し、操作者が前記カットアウト又はプレカット（２３、２４）及び前記開口部を通して保護カウリング（２）内部に配置された気体出口を制御する手段（３）にアクセスできることを特徴とするガスボトル。
【請求項８】
請求項１ないし７のいずれか記載のガスボトルであって、気体出口を制御する手段（３）が開／閉バルブ、気体バルブ、気体減圧機、組合された気体減圧バルブアセンブリー、及び組合された圧力減圧バルブ流量計アセンブリーから選択されることを特徴とするガスボトル。
【請求項９】
請求項１ないし８のいずれか記載のガスボトルであって、第１保護ケーシング（１１）及び／又は第２保護ケーシング（２１）がシートまたは厚紙、光沢厚紙、可塑性厚紙、又はポリマーから選択された材料構造から作られ、第１保護ケーシング（１１）が好ましくはボトル体（１）の少なくとも８０％を包むことができるスリーブを形成することを特徴とするガスボトル。
【請求項１０】
請求項１ないし９のいずれか記載のガスボトルであって、保護カウリング（２）及び／又は気体出口を制御する手段（３）は少なくとも部分的に及び一時的に、少なくとも第３保護ケーシング（３０）及び／又は第４保護ケーシング（４０）によって覆われ、第３保護ケーシング（３０）及び／又は第４保護ケーシング（４０）が好ましくはシートまたはポリマー、好ましくはＰＥＴ又はＰＶＣから選択された材料構造から作られることを特徴とするガスボトル。
【請求項１１】
請求項１ないし１０のいずれか記載のガスボトルであって、第１保護ケーシング（１１）及び／又は第２保護ケーシング（２１）はそれ自体が第３外側ケーシング（３０）で一時的保護のために覆われ、ボトルが輸送される間に使用され、前記第３ケーシング（３０）は好ましくは一つないし複数の取っ手（３５、３６）を具備し、操作者は少なくとも一つの取っ手（３５、３６）を使用してガスボトルを運ぶことができることを特徴とするガスボトル。
【請求項１２】
請求項１ないし１１のいずれか記載のガスボトルであって、第１保護ケーシング（１１）はディスク形状底（１２）を有し、前記底（１２）が好ましくは堅く、及び／又はポリマーで作られることを特徴とするガスボトル。
【請求項１３】
ガスボトルの保護パッケージング（１１、２１）であって、第１保護ケーシング部（１１）が長方形状であり、ガスボトルの円筒体（１）の少なくとも一部を覆い、第２保護ケーシング部（２１）が前記ボトルにある制御部材（３）の少なくとも一部を覆い、及び／又は保護カウリングが前記制御部材（３）を保護し、第１保護ケーシング部（１１）および前記第２保護ケーシング部（２１）が共に固定、及び／又は単体として形成され、及び第１ケーシング部（１１）がさらにディスク形状底（１２）を具備し、これが前記第１ケーシング部（１１）にしっかりと固定され、少なくともガスボトル底の部分を保護する、ガスボトルの保護パッケージング（１１、２１）。
【請求項１４】
請求項１３に記載のパッケージングであって、第１保護ケーシング部（１１）および前記第２保護ケーシング部（２１）は互いに固定され、及び厚紙シート単体、好ましくは光沢面又はポリマーフィルムで覆われたシート状の厚紙から形成されることを特徴とするパッケージング。
【請求項１５】
請求項１３または１４に記載のパッケージングであって、少なくとも第２保護ケーシング部（２１）は一つまたは複数のカットアウトまたはプレカット（２２）を有することを特徴とするパッケージング。
【請求項１６】
請求項１３ないし１５のいずれか記載のパッケージングであって、第１保護ケーシング部（１１）は二つの縦エッジ（２８、２９）、少なくとも一つの接着性ストリップ（２２）をベアリングする前記エッジ（２８、２９）の少なくとも一つ（２８）を有し、前記エッジ（２８、２９）の一つ（２８）によってベアリングされた前記接着性ストリップ（２２）は好ましくは前記エッジのもう片方（２９）と共同できることを特徴とするパッケージング。
【請求項１７】
請求項１ないし１２のいずれか記載のボトルの使用方法であって、病院又は医療施設内、または現場の反応ユニット（ｏｎ ｓｉｔｅ ｒｅｓｐｏｎｓｅ ｕｎｉｔ）、特に救急医療型の可動ユニット内でのボトルの使用方法。
【発明の詳細な説明】
【０００１】
【発明の属する技術分野】
本発明はガスボトルに関するものである。ガスボトルには気体入口および出口を制御する手段、特にバルブユニットまたは減圧バルブアセンブリーが取り付けられ、おそらく流量計を備え、好ましくは保護カウリングにはめ込まれた当該手段はボトルに固定される。前記ボトルおよび前記保護カウリング及び／又は気体入口および出口を制御する手段は一層または複数層から成る一つまたは複数の周辺外部保護ケーシングによって覆われる。当該ケーシングには事前に組み立てられるものもあるし、または事前に組み立てられないものもある。このようにしてガス容器が高レベルの外側清潔度および衛生度を備えることを保障している。
【０００２】
【従来の技術】
現在、医療用気体、実験用気体、および産業用気体を入れるボトルは、外面が塗装されてそのまま市場に出され、つまり、何の外面的保護やオーバーラッピングも施されていないのが現状である。
【０００３】
内容物が形のない性質であり、すなわちボトル内部が無色気体であることを考慮すると、その製品のイメージはその容器によってのみ伝わる。
【０００４】
現在、所定のボトルはそのライフサイクルの間に多数の取り扱いおよび輸送操作を受ける。このような扱いが製造者の施設（ｐｒｅｍｉｓｅ）とユーザーの施設の両方でなされ、ボトル外観は急速に劣化し、この再利用可能なパッケージングにいくぶん劣った品質外観を与える。これは製品イメージの価値を下げ、特に、ボトルが医療用気体、例えば気体薬物を含むときは顕著である。
【０００５】
さらに、長期間に渡るガス容器の使用および再利用から生じる磨耗は、特にボトルが貯蔵中にある場合、塵、埃、種々の微生物の留置を助長する表面状態をもたらし、やがては健康上のリスクを引き起こす。従って、病院環境で使用されるガスボトル隅の細菌の存在は院内疾患の発生を助長する。
【０００６】
【発明が解決しようとする課題】
この問題は既に提示され、外観、ガスボトルの清潔度およびイメージを向上することができる。特にボトルが医療用気体、分析目的で使用する実験気体、電子産業用の高純度の産業用気体または食品工場で使用する気体を封入する際に顕著である。
【０００７】
前記問題の解決策は既に提案されているが、完全に満足できるものではない。
【０００８】
例えばその例として、プラスチックで作られた保護ネットを使用する習慣が知られている。このプラスチックネットをボトルの円筒型バレルの一面に滑り込ませ、局所的な衝撃から保護する。しかしながら実際には、ネットは変形する傾向があることが解っているので、仮に一様に変化させないようにすれば、もはや保護機能を果たせなくなってしまう。さらに、ボトルに備え付けられた保護カウリングのように、ネットはボトルのいくつかの部位を保護していない。
【０００９】
また、ボトルの円筒型バレル周囲に配置する熱成形フィルムの使用も提案されている。このような熱成形フィルムはボトルに有効な保護を施すことができるが、衛生という面では十分な保障を与えることはできない。なぜなら、特に一方で、このタイプのフィルムは一般的に保護カウリングの下で妨害され、そして他方で、ボトルのバレルの下、すなわち底面で、このタイプのフィルムはボトル底およびそこから気体出口を制御する手段を保護されないままにするからだ。さらに、その配置は手動で行うと産業的に制限する。なぜなら長期に渡る操作を意味するからだ。
【００１０】
またボトルに堅い厚紙ケーシングを配置する方法も知られている。この厚紙ケーシングによって前記ボトルを主に輸送の際に保護することができるからである。一旦ボトルが使用場所に搬送されれば、厚紙は取り外され、廃棄される。なぜなら厚紙はしばしば損傷を受けたり、汚れたりするからである。言い換えれば、一旦ボトルが使用場所に送達されれば、ボトルには何の保護もなくなるので、中身が空になって返却する際、輸送の間に再び損傷を受けるおそれがある。
【００１１】
さらに、ボトルの使用、特に危険な場所、例えば、手術室集合施設での使用も提案されている。医療用ボトルに関する限りでは、繊維性バックまたは堅い金属容器の中に配置し、ボトルのバレルを包むべきである。しかしながら、繰返して言うが、解決策は理想的ではない。なぜならボトルのいくつかの部分は保護されない、あるいはあまり効果的には保護されないからである。特に保護カウリングおよび保護カウリングが含む構成要素、例えばバルブユニットまたは減圧バルブアセンブリーはそうである。
【００１２】
上記解決策は特にＵＡ−Ａ−５，４２２，１５２， ＦＲ−Ａ−２７０３４３４， ＦＲ−Ａ−１５１２０９８， ＵＳ−Ａ−３，７８７，９９３， ＥＰ−Ａ−５８１６６５  又は ＷＯ−Ａ−９８／１６７７６  に記載されている。
【００１３】
参考文献としては、ＵＳ−Ａ−５，２５３，７６０， ＵＳ−Ａ−３，９２１，８７２， ＵＳ−Ａ−４，９６７，９２３， ＪＰ−Ａ−０７２６９７９０  および ＦＲ−Ａ−２７０６１４０  が利用されている。これらの広報は様々な技術的解決策を示している。これらの解決策は圧縮ガスボトルの輸送及び／又は保護に適用できるものである。
【００１４】
【課題を解決するための手段】
そこから、本発明の目的は問題をさらに解決することにある。本発明は保護および衛生の保障という面で、先行技術から想定され得るよりも効果的な解決策を提供し、ガスボトルに高レベルでの外側清潔度および衛生度を保障する。
【００１５】
本発明の解決策は、気体出口を制御する手段を具備する全体として円筒型のボトル体を具備し、保護カウリングが気体出口を制御する手段の周辺に配置されたガスボトルにあり、以下の点を特徴とする。すなわち、
ボトル体が少なくとも部分的に、少なくとも第１保護ケーシングによって覆われ、そして、
保護カウリングが少なくとも部分的に、少なくとも第２保護ケーシングによって覆われる。
【００１６】
別の側面において、本発明はまた、気体出口を制御する手段を具備する全体として円筒型のボトル体を具備するガスボトルに関するものであり、以下の点を特徴とする。すなわち、
ボトル体は少なくとも第１保護ケーシングによって、少なくとも部分的に覆われ、そして、
気体出口を制御する方法は、少なくとも第２保護ケーシングによって少なくとも部分的に覆われる。
【００１７】
本発明の文脈において、
「気体出口を制御する手段」とは、すなわちボトルに含まれた気体出口を制御するメンバーに与えられた名称である。例えば開／閉バルブ、気体バルブ、気体減圧機、組合された気体減圧バルブアセンブリー、および組合された減圧バルブ流量計アセンブリーがある。
【００１８】
「保護カウリング」とは、あらゆる三次元構造に与えられた名称で、一般的には堅く、部材または気体出口を制御する手段を設けることができる。これはあらゆる種類の衝撃に対して物理的保護を担う。例えばカウリングは単一「ベル−ハウジング（ｂｅｌｌ−ｈｏｕｓｉｎｇ）」形状またはより複雑形状、例えばＥＰ−Ａ−７４７７９６記載のものがある。
【００１９】
場合によって、本発明のガスボトルは一つまたは複数の以下の特徴を有する。
【００２０】
ボトル体は少なくとも第１保護ケーシングによって、少なくも７０％の外部表面域を覆われ、及び／又は保護カウリング及び／又は気体出口を制御する手段は少なくも第２保護ケーシングによって少なくとも７０％の外部表面域を覆われている。そして、好ましくは表面域の８０％から９８％までの間で覆われている。
【００２１】
前記第１保護ケーシングおよび第２保護ケーシングは単一保護ケーシング、及び／又はワンピースのカバーリング構造を形成する。
【００２２】
前記第１保護ケーシングおよび第２保護ケーシングは分離及び／又は互いに接着しない。
【００２３】
気体出口を制御する手段を覆う第２保護ケーシングは少なくとも一つのカットアウトまたはプレカットを具備し、操作者は前記カットアウトまたはプレカットを通して、気体出口を制御する前記手段に前記第２保護ケーシングの下でアクセスできる。
【００２４】
保護カウリングを覆う第２保護ケーシングは少なくとも一つのカットアウトまたはプレカットを具備する。これらは保護カウリング中の少なくとも一つの開口部と一致、及び／又は反対に位置する。操作者は前記カットアウトまたはプレカット、および前記開口部を通して、保護カウリングの内部に配置される気体出口を制御する手段にアクセスできる。
【００２５】
第１保護ケーシング及び／又は第２保護ケーシングはシートまたは厚紙、光沢厚紙、可逆性厚紙、またはポリマーから選択された材料構造で作られる。
【００２６】
保護カウリング及び／又は気体出口を制御する手段は少なくとも部分的におよび一時的に少なくとも第３保護ケーシング及び／又は第４保護ケーシングによって覆われる。第３ケーシング及び／又は第４ケーシングは好ましくはシートまたはポリマーから選択された材料構造から作られる。ポリマーとしては好ましくはＰＥＴ（ポリエチレン）またはＰＶＣ（ポリビニルクロライド）、好ましくはＰＥＴがある。
【００２７】
第１保護ケーシング及び／又は第２保護ケーシングはそれ自体は第３外部ケーシングで覆われる。ボトルが輸送されている間に使用される一時的な保護のためである。前記第３ケーシングは好ましくは一つまたは複数の取っ手を備える。操作者は少なくとも一つの取っ手を使用してガスボトルを運ぶことができる。
【００２８】
第１保護ケーシングはディスク形状底を有している。前記底は好ましくは堅く、及び／又はポリマーから作られる。
【００２９】
スリーブを形成する第１保護ケーシングは少なくともボトル体の８０％を包むことができる。
【００３０】
さらに、本発明はまた、ガスボトルの保護パッケージングに関する。例えば、長方形状の第１保護ケーシング部が形成され、ガスボトルおよび第２保護ケーシング部の円筒体の少なくとも一部を覆う。それは前記ボトルの制御部材及び／又は前記制御部材を保護する保護カウリングの少なくとも一部を覆うためである。第１保護ケーシング部および前記第２保護ケーシング部が共に固定され、及び／又は、単体として形成され、さらに第１ケーシング部はしっかりと固定されたディスク形状底を具備する。これは少なくともガスボトル底の部分を保護する。
【００３１】
場合によっては、本発明のパッケージングは一つまたは複数の以下の特徴を有する。
【００３２】
第１保護ケーシング部および前記第２保護ケーシング部は互いに固定され、厚紙シートの単一片で形成される。厚紙シートは光沢面またはポリマーフィルムで覆われているのが好ましい。
【００３３】
少なくとも第２保護ケーシング部は一つまたは複数のカットアウト又はプレカットを有する。
【００３４】
第１保護ケーシング部は二つの縦のエッジを有し、少なくとも一つの前記エッジは少なくとも一つの付着性ストリップを支持する。一つの前記エッジによってベアリングされた前記付着性ストリップはもう片方の前記エッジと共同できるのが好ましい。前記付着性ストリップを支えるエッジはもう片方のエッジに結合することによって付着する。
【００３５】
本発明の解決策は、すなわち実際の保護がガスボトル体だけではなくその上部部位（カウリング及び／又は気体出口を制御する手段）においても以下の長所を有する。つまり、
製造業者が、容易かつ迅速に一度でボトルに取り付けることができ、
ボトル、作動体、すなわちバルブ、減圧機および種々の気体出口を具備するボトル、特に内蔵された減圧バルブを持ったボトルの場合、このバルブが外部清潔度および衛生度を長期にわたり維持することができる。また、
特殊目的ロゴを付して気体の品質を特定し、識別コードを提供し、法定の通知を与え、又はあらゆる他の有用な情報または語およびラベルによって、様々な一連のユーザーを通してボトルの跡をたどることができる。このことは、ボトル表面に時機を誤って繰り返してマーキングすることによる悪影響の危険性がない。さらに、
外観またはボトルの使用状態の迅速な検査を可能とし、
密封装置の存在によってユーザー保障システムを構成でき、そして、
塗り直し作業に費やされる時間およびボトル整備のための非稼働時間の短縮につながる。
【００３６】
【発明の実施の形態】
本発明はいくつかの実施例の詳細説明によってより理解される。これは添付図面によって図解されている。
【００３７】
本発明はボトル円筒部１および保護カウリング２の周囲、付属品に基づくものである。保護ケーシング１１、２１、３０は各々が一つまたは複数層から成り、組立済みであるものとないものがある。
【００３８】
三つのケーシングのうちの一つである２１は、好ましくは堅く、保護カウリング２および気体出口を制御する手段３を保護する。すなわちボトル作動体３である（バルブ、減圧機、放出口、等々）。硬質部位２１はまたボトル体１の一部を保護する。すなわちボトル体１に沿って広がっている。
【００３９】
本発明が関係するボトルには種々のサイズがある（典型的にはおよそ５０リットル水までの容量があるもの）。しかし好ましくは小さいサイズのものがよい。小さいボトル（およそ５リットル水の容量のもの）は持ち運びやすく、不特定多数の操作者によっても扱いやすい。ただそれゆえに種々の環境汚染を受けやすい。
【００４０】
医療使用目的のガスボトルの場合は、このような保護システムはボトル封入した製品の医薬品の品質に関係する。
【００４１】
本発明による一つまたは複数のケーシング１１、２１、３０、４０を使用することによって以下の問題を解決することができる。
【００４２】
外的攻撃（引っかき傷、はがれやすい塗装、等々）
長期にわたる不十分かつ変化しやすい外部清潔度
長期にわたる不十分かつ変化しやすい衛生度
製品としての医薬品質の欠如
各市場の予想に応じた気体イメージに資格を与えるボトル上の特有ロゴの欠損  機能性、例えばボトルの安定性、作動体の保護（バルブ、減圧機、放出口）、ボトル使用状態の自明の視覚的表示の欠如。
【００４３】
整備費用からくる、ボトル体の塗装面の保護の欠如
調整中のボトル外観を点検する客観的基準の欠如
より具体的に、本発明によれば、ボトルはボトル体１の周囲に配置された第１保護ケーシング１１、保護カウリング２の周囲に配置された第２保護ケーシング２１によって保護され、そして好ましくは前記第１ケーシング１１および第２ケーシング２１を包む第３ケーシング３０によって、ボトルが輸送され、取り扱われている間は保護する。
【００４４】
第１保護ケーシング１１はボトル体１を覆う外側層を構成し、その長さは保護されるべきボトル全高と等しい又はおおよそ等しく、その直径はボトル直径よりわずかに大きく、構成材料はポリマー、好ましくはＰＥＴ（ポリエチレン）かつ透明なもの、ないしは堅い厚紙ケーシング、あるいは光沢性または可変性のもののいずれかである。以下に詳しく説明する。
【００４５】
さらに、図１３から１６に示すように、このボトル体１を取り囲む第一保護ケーシング１１は好ましくは堅いフラット底１２を具備する。この底１２は一方では前記第１ケーシング１１をボトル周囲に容易に取り付けさせ、他方では垂直位に配置された時、ボトルの安定性を生み出す。さらに、第１ケーシング１１を固定した底１２の存在はボトルの衛生度を強化することを可能にする。塵または他のゴミがボトル体１と前記保護ケーシングの間に入り込むのを防ぐ。
【００４６】
図１３に記載したように、保護パッケージング１１、２１は、ここで内部、すなわち側面からボトル体１と接触して見ると、全体として長方形形状の第１保護ケーシング部１１から形作られている。これはガスボトルおよび第２保護ケーシング部２１の円筒部を覆う。第２保護ケーシング２１は制御部材３を保護する保護カウリング２の少なくとも一部を覆う。第１保護ケーシング部１１および第２保護ケーシング部２１は互いに固定され厚紙シート単体として形成される。この厚紙シートは外面を光沢面またはポリマーフィルムで覆われる。第１ケーシング部１１はディスク形状底１２に前記第１ケーシング部１１をプラスチックストリップ２１でしっかりと固定して運ぶ。プラスチックストリップ２１はそれ自身が固定、例えば結合によって、第１ケーシング部１１を形成するシートに固定される。パッケージングがボトル周囲に取り付けられた時、ストリップ２１の両末端はクリッピングによって共に結合される。さらに付着ストリップ２２は第１ケーシング部１１の一つの縦エッジに設けられる。このことにより、ボトル体１の周辺部に配置および固定されるようにする。接着性ストリップ２２を持つエッジ２９は接着性ストリップを持たないエッジ２８を覆い、上記接着性ストリップ２２を介してそれに結合する。
【００４７】
しかしながら、ある場合において、フラット底１２の存在は必要なく、さらに何も付け加えないもの、または一つまたは複数の環状リング１２’のどちらか一方で足りる。これは第１ケーシング１１の基底部をボトル底近くで囲う。
【００４８】
第２保護ケーシング２１は層を構成し、この層によってボトルに含まれた気体出口を制御する部材又は手段３、例えばバルブまたは気体減圧バルブアセンブリーが、高い衛生度を保障する。気体出口を制御する前記部材または手段が保護カウリング２によって保護されるとき、その後この第２保護ケーシング２１は全てまたは一部の前記保護カウリングの外側表面を覆い、またはボトル体の一部も覆う。第２保護ケーシング２１は厚紙の堅い部分を有する。例えば、可変性または光沢厚紙で作られている。刻み目またはプレカット２３、２４は、サービスに入る前に取り除かれるが、この堅い第２保護ケーシング２１上に設けられ、操作者がボトルの作動体３（バルブ、減圧機、放出口）にアクセスすることができる。この使い捨てまたは非使い捨ての層２１は特定目的図表２５を付し、この図表の性質により、各調整作業（ｅａｃｈ ｃｏｎｄｉｔｉｏｎｉｎｇ ｏｐｅｒａｔｉｏｎ）が更新される。
【００４９】
さらに第３層３０の構成要素はポリマー、好ましくはＰＥＴ、光沢厚紙または可変性厚紙であり、ボトルを部分的または完全に保護する。その間にコンディショニングおよびパッケージングセンターから輸送される。輸送先は、使用場所（病院、医療施設または移動救急医療等。）または使用前の貯蔵場所である。他の保護ケーシング１１および２１はそれでもなお最外層３０を伴わずに使用される。この第３の使い捨てまたは非使い捨て層３０は図表が付される。この図表の性質により、各調整作業が更新される。この層３０は輸送および貯蔵中のボトルの完全な保護に影響を与える。従って十分に強固なものである。必要であれば、ユーザーによって期待される衛生度が高くない場合にのみ使用される。この層はラテラルハンドルを設けている。これによってボトルをケースと共に水平に運搬することができる。
【００５０】
最後に、第４層４０、前記ボトルに封入された気体使用後にボトルに被せる。これによってボトルの使用状態を可視的に具体化できる（空／製造業者への返還）。それは遠くからでも目に見え、従って、使用済みボトルのあらゆる誤認操作を避ける。より好ましくは、第４層４０は第２保護ケーシング２１の少なくとも一部を覆う。これはボトルが空になり、このボトルが詰め替えられるまでである。好ましくはこの第４層４０に鮮明なカラー（例えばオレンジまたは赤）または特別なマーキングを付す。これによってボトルの状態をユーザーは見ただけで直ぐに解るようになる。
【００５１】
一般的には、保護層のナンバーは望ましい衛生度に直接的に結びつき、二つの継続的な調整作業でボトルのライフサイクルにも直接的に結びつく。
【００５２】
保護ケーシングは長期にわたりボトルの外部清潔度および衛生度を維持することができる。それらは従っていくつかの段階を包含する全般的な使用プロトコルと結びつく。すなわち、
医療用気体の製造業者の施設で：ボトル充填および関連点検終了時に、保護ケーシング好ましくは使い捨てのものがボトルに装着される。
【００５３】
輸送の間：トラック上にボトルを保管する装置は、輸送の間、必要に応じて保護ケーシングを損傷しないように適応させる。
【００５４】
ユーザーの施設：ボトルはユーザーに配送される。ユーザーは貯蔵時間中全ての保護ケーシングを維持する。製品の使用時にユーザーは第３層３０を取り出す。するとボトルは第１および第２ケーシング１１と２１をあらわにする。清潔度を保障する調節された製品は、使用の間中は保護される。いったんボトルが空になると、ユーザーは第４層４０をアレンジする。好ましくは色を付され（オレンジまたは赤）、ボトルの使用状態を表示する。このボトルはコンディショニングセンターに返還される間は保護される。
【００５５】
医療用気体の製造業者の施設：ユーザーは処理業者にボトルをゆだね、コンディショニングセンターに返還する。ボトルが分類された時、色を付した第４保護ケーシング４０は調整に先んじて取り除かれる。
【００５６】
ボトルの再調整の間、ボトルケーシングは好ましくは組織的にクリーンケーシングと交換される。
【００５７】
より好ましくは、小さいボトルの場合には、当該手段はボトルを最外層保護ケーシング３０に配置されたラテラルハンドル３５、３６（またはこれらのいくつか）によって運搬することができ、製造業者施設で、調整の各操作の後、迅速かつ容易な除去ができる。
【００５８】
オプションとして、衛生度を向上するために、気体を調整するとき、消毒剤を染み込ませたパッケージングまたはパッケージングとボトル（本体および作動体）のどちらか一方を消毒及び／又はクリーニング溶液で取り扱うことができる。
【００５９】
本発明は特に病院または医療施設内での使用に適している。また現場でのインターベンションユニット（ｉｎｔｅｒｖｅｎｔｉｏｎ ｕｎｉｔ）、特に救急医療型の可動性ユニットとしても適している。
【図面の簡単な説明】
【図１】
本発明に係るガスボトルの説明図。
【図２】
本発明に係るガスボトルの説明図。
【図３】
本発明に係るガスボトル上部の説明図。
【図４】
本発明に係るガスボトル上部の説明図。
【図５】
第３ケーシング３０に覆われたガスボトルの説明図。
【図６】
本発明に係るガスボトル上部の拡大図。
【図７】
第３ケーシング３０に覆われたガスボトルの説明図。
【図８】
本発明に係る厚紙の展開図。
【図９】
本発明に係る第３ケーシング３０の説明図。
【図１０】
本発明に係る第３ケーシング３０の説明図。
【図１１】
本発明に係る第３ケーシング３０の説明図。
【図１２】
本発明に係る第４ケーシング４０の説明図。
【図１３】
本発明に係るケーシングの展開図。
【図１４】
本発明に係るフラット底１２の説明図。
【図１５】
本発明に係るフラット底１２の説明図。
【図１６】
本発明に係るフラット底１２の説明図。
【図１】
2004501324.tif 000003
【図２】
2004501324.tif 000004
【図３】
2004501324.tif 000005
【図４】
2004501324.tif 000006
【図５】
2004501324.tif 000007
【図６】
2004501324.tif 000008
【図７】
2004501324.tif 000009
【図８】
2004501324.tif 000010
【図９】
2004501324.tif 000011
【図１０】
2004501324.tif 000012
【図１１】
2004501324.tif 000013
【図１２】
2004501324.tif 000014
【図１３】
2004501324.tif 000015
【図１４】
2004501324.tif 000016
【図１５】
2004501324.tif 000017
【図１６】
2004501324.tif 000018
【国際公開パンフレット】
2004501324.tif 000019
2004501324.tif 000020
2004501324.tif 000021
2004501324.tif 000022
2004501324.tif 000023
2004501324.tif 000024
2004501324.tif 000025
2004501324.tif 000026
2004501324.tif 000027
2004501324.tif 000028
2004501324.tif 000029
2004501324.tif 000030
2004501324.tif 000031
2004501324.tif 000032
2004501324.tif 000033
2004501324.tif 000034
2004501324.tif 000035
2004501324.tif 000036
2004501324.tif 000037
2004501324.tif 000038
2004501324.tif 000039
2004501324.tif 000040
2004501324.tif 000041
2004501324.tif 000042
2004501324.tif 000043
2004501324.tif 000044
【手続補正書】
【提出日】平成14年5月31日(2002.5.31)
【手続補正１】
【補正対象書類名】明細書
【補正対象項目名】特許請求の範囲
【補正方法】変更
【補正の内容】
【特許請求の範囲】
【請求項１】
全体として円柱形状をしたボトル体（１）で構成されるガスボトルであって、気体出口を制御する手段（３）、および気体出口を制御する手段（３）の周囲に配置された保護カウリング（２）を具備し、ボトル体（１）が少なくとも部分的に少なくとも第１保護ケーシング（１１）によってカバーされ、そして保護カウリング（２）が少なくとも部分的に少なくとも第２保護ケーシング（２１）によってカバーされるガスボトルであって、保護カウリング（２）が外側表面領域の少なくとも７０％を少なくとも第２保護ケーシング（２１）によって覆われ、前記第２保護ケーシング（２１）は少なくとも一つのカットアウトまたはプレカット（２３、２４）を具備する保護カウリング（２）を覆い、保護カウリング（２）中の少なくとも一つの開口部と一致及び／又は反対側に位置し、操作者は前記カットアウトまたはプレカット（２３、２４）および前記開口部を通して保護カウリング（２）内部に配置された気体出口を制御する手段（３）にアクセスできることを特徴とするガスボトル。
【請求項２】
請求項１に記載のガスボトルであって、ボトル体（１）は外側表面域の少なくとも７０％を少なくとも第１保護ケーシング（１１）によって覆われ、好ましくは外側表面域の８０％から９８％までの範囲を覆われることを特徴とするガスボトル。
【請求項３】
請求項１または２に記載のガスボトルであって、保護カウリング（２）が外側表面域の８０％から９８％までの範囲を覆われることを特徴とするガスボトル。
【請求項４】
請求項１ないし３に記載のガスボトルであって、前記第１保護ケーシング（１１）および第２保護ケーシング（２１）が単一保護ケーシング及び／又はワンピースのカバーリング構造をしていることを特徴とするガスボトル。
【請求項５】
請求項１ないし３のいずれか記載のガスボトルであって、前記保護ケーシング（１１）および第２保護ケーシング（２１）が分離及び／又は互いに接着していないことを特徴とするガスボトル。
【請求項６】
請求項２ないし５のいずれか記載のガスボトルであって、第２保護ケーシング（２１）が少なくとも一つのカットアウトまたはプレカット（２３、２４）を具備する気体出口を制御する手段（３）を覆い、操作者が前記カットアウトまたはプレカット（２３、２４）を通して気体出口を制御する前記手段（３）に前記第２保護ケーシング（２１）の下でアクセスできることを特徴とするガスボトル。
【請求項７】
請求項１または３ないし５のいずれか記載のガスボトルであって、気体出口を制御する手段（３）が開／閉バルブ、気体バルブ、気体減圧機、組合された気体減圧バルブアセンブリー、及び組合された圧力減圧バルブ流量計アセンブリーから選択されることを特徴とするガスボトル。
【請求項８】
請求項１ないし７のいずれか記載のガスボトルであって、第１保護ケーシング（１１）及び／又は第２保護ケーシング（２１）がシートまたは厚紙、光沢厚紙、可塑性厚紙、又はポリマーから選択された材料構造から作られることを特徴とするガスボトル。
【請求項９】
請求項１ないし８のいずれか記載のガスボトルであって、第１保護ケーシング（１１）が好ましくはボトル体（１）の少なくとも８０％を包むことができるスリーブを形成することを特徴とするガスボトル。
【請求項１０】
請求項１ないし９のいずれか記載のガスボトルであって、保護カウリング（２）が少なくとも部分的および一時的に、少なくとも第３保護ケーシング（３０）及び／又は第４保護ケーシング（４０）によって覆われ、第３保護ケーシング（３０）及び／又は第４保護ケーシング（４０）が好ましくはシートまたはポリマー、好ましくはＰＥＴ又はＰＶＣから選択された材料構造から作られることを特徴とするガスボトル。
【請求項１１】
請求項１ないし１０のいずれか記載のガスボトルであって、第１保護ケーシング（１１）及び／又は第２保護ケーシング（２１）はそれ自体が第３外側ケーシング（３０）で一時的保護のために覆われ、ボトルが輸送される間に使用され、前記第３ケーシング（３０）は好ましくは一つないし複数の取っ手（３５、３６）を具備し、操作者は少なくとも一つの取っ手（３５、３６）を使用してガスボトルを運ぶことができることを特徴とするガスボトル。
【請求項１２】
請求項１ないし１１のいずれか記載のガスボトルであって、第１保護ケーシング（１１）はディスク形状底（１２）を有し、前記底（１２）が好ましくは堅く、及び／又はポリマーで作られることを特徴とするガスボトル。
【請求項１３】
ガスボトルの保護パッケージング（１１、２１）であって、第１保護ケーシング部（１１）が長方形状であり、ガスボトルの円筒体（１）の少なくとも一部を覆い、第２保護ケーシング部（２１）は一つまたは複数のカットアウトまたはプレカット（２２）を具備し、前記制御部材（３）を保護する保護カウリングの少なくとも一部を覆い、第１保護ケーシング部（１１）および前記第２保護ケーシング部（２１）が共に固定、及び／又は単体として形成され、及び第１ケーシング部（１１）がさらにディスク形状底（１２）を具備し、これが前記第１ケーシング部（１１）にしっかりと固定され、ガスボトル底の少なくとも一部を保護する、ガスボトルの保護パッケージ（１１、２１）。
【請求項１４】
請求項１３に記載のパッケージングであって、第１保護ケーシング部（１１）および前記第２保護ケーシング部（２１）は互いに固定され、及び厚紙シート単体、好ましくは光沢面又はポリマーフィルムで覆われたシート状の厚紙から形成されることを特徴とするパッケージング。
【請求項１５】
請求項１３または１４のいずれか記載のパッケージングであって、第１保護ケーシング部（１１）が二つの縦エッジ（２８、２９）、少なくとも一つの接着性ストリップ（２２）をベアリングする前期エッジ（２８、２９）の少なくとも一つ（２８）を有し、前記エッジ（２８、２９）の一つ（２８）によってベアリングされた前記接着性ストリップ（２２）が好ましくは前記エッジのもう片方（２９）と共同できることを特徴とするパッケージング。
【請求項１６】
請求項１ないし１２のいずれか記載のボトルの使用方法であって、病院内又は医療施設内、または現場の反応ユニット、特に救急医療型の可動ユニット内でのボトルの使用方法。
【国際調査報告】
2004501324.tif 000045
2004501324.tif 000046
2004501324.tif 000047
2004501324.tif 000048
2004501324.tif 000049
2004501324.tif 000050